(57)【要約】【課題】動作時の着用者の皮膚伸展に良好に追随すること（皮膚追随性）によって動作性に優れ、かつ、動作時のずれも十分に抑制されている、ボトム製品を提供する。【解決手段】着用者の少なくとも稜上平面から臀部下部の少なくとも一部までの部位を覆うパンツ形状を有するボトム製品であって、前記ボトム製品が、ボトム上端線Ｌ１を含んでボトム製品周方向に帯状に延びるウエストゴム部を任意に有し、ボトム製品の後布の、ボトム上端線Ｌ１、境界線ｌ、左右線Ｌ３、境界線ｒで囲まれる領域Ｒ１のうち、バイアス方向の８０％伸長応力が最も小さい部位を部位Ａとしたときに、前記領域Ｒ１内において前記部位Ａが５０〜９５面積％を占め、かつ、前記領域Ｒ１のうち任意の前記ウエストゴム部を除く領域内に、バイアス方向の８０％伸長応力が前記部位Ａよりも大きい部位Ｂが配置されており、前記部位Ｂは、後中心線Ｌ２を挟んで互いに離間された左側領域と右側領域とを有する、ボトム製品。【選択図】図１Ａ
2020165003.tif 000002
【特許請求の範囲】
【請求項１】
着用者の少なくとも稜上平面から臀部下部の少なくとも一部までの部位を覆うパンツ形状を有するボトム製品であって、
前記ボトム製品が、ボトム上端線Ｌ１を含んでボトム製品周方向に帯状に延びるウエストゴム部を任意に有し、
前記ボトム製品を、前中心線を含みかつ最大面積の領域で平面と接するように平面上に配置したときの、前記平面と接している部位を前布、前記平面と接していない部位を後布とし、前記前布と前記後布との左側の境界線を境界線ｌとし、前記前布と前記後布との右側の境界線を境界線ｒとし、前記後布の、股ぐり線下端Ｐ０から後中心線Ｌ２沿いに５ｃｍ上方の点をＰ１、Ｐ１から後中心線Ｌ２に対して垂直に左右方向に延びる左右線Ｌ３と、境界線ｌとの交点をＰ２、左右線Ｌ３と境界線ｒとの交点をＰ３、ボトム上端線Ｌ１と後中心線Ｌ２との交点をＰ４、ボトム上端線Ｌ１と境界線ｌとの交点をＰ５、ボトム上端線Ｌ１と境界線ｒとの交点をＰ６としたときに、
ボトム上端線Ｌ１、境界線ｌ、左右線Ｌ３、境界線ｒで囲まれる領域Ｒ１のうち、バイアス方向の８０％伸長応力が最も小さい部位を部位Ａとしたときに、前記領域Ｒ１内において前記部位Ａが５０〜９５面積％を占め、かつ、前記領域Ｒ１のうち任意の前記ウエストゴム部を除く領域内に、バイアス方向の８０％伸長応力が前記部位Ａよりも大きい部位Ｂが配置されており、前記部位Ｂは、後中心線Ｌ２を挟んで互いに離間された左側領域と右側領域とを有する、ボトム製品。
【請求項２】
前記部位Ａが、前記ボトム上端線Ｌ１又は前記ウエストゴム部に接しており、
前記部位Ｂにおいて、前記左側領域が前記境界線ｌを含み、前記右側領域が前記境界線ｒを含む、請求項１に記載のボトム製品。
【請求項３】
後中心線Ｌ２上のＰ１とＰ４との中点をＰ７、Ｐ７から後中心線Ｌ２に対して垂直に左右方向に延びる左右線Ｌ４と境界線ｌとの交点をＰ８、左右線Ｌ４と境界線ｒとの交点をＰ９としたときに、
ボトム上端線Ｌ１、境界線ｌ、左右線Ｌ４、境界線ｒで囲まれる領域Ｒ２のうち前記部位Ａの比率が５０〜９５面積％である、請求項１又は２に記載のボトム製品。
【請求項４】
前記ボトム製品が、前記部位Ａよりも左右方向の８０％伸長応力が大きい部位Ｃを有し、
下記（１）又は（２）：
（１）前記ボトム製品が前記ウエストゴム部を有さず、前記部位Ｃが、前記Ｐ４から後中心線Ｌ２沿いに下側に延びる線分を含んで面積５〜２０ｃｍ2で広がる部位であること；又は
（２）前記ボトム製品が前記ウエストゴム部を有し、前記部位Ｃが、後中心線Ｌ２とウエストゴム部下端線Ｌ５との交点Ｐ１０から後中心線Ｌ２沿いに下側に延びる線分を含んで面積１〜１６ｃｍ2で広がる部位であること；
を満たす、請求項１〜３のいずれか一項に記載のボトム製品。
【請求項５】
前記部位Ａのバイアス方向の８０％伸長応力Ｓ１が、１００〜５００ｃＮ／２５ｍｍである、請求項１〜４のいずれか一項に記載のボトム製品。
【請求項６】
前記部位Ａのバイアス方向の８０％伸長応力Ｓ１と、前記部位Ｂのバイアス方向の８０％伸長応力Ｓ２との比が、Ｓ１／Ｓ２＝０．３〜０．９である、請求項１〜５のいずれか一項に記載のボトム製品。
【請求項７】
着用者の少なくとも稜上平面から臀部下部の少なくとも一部までの部位を覆うパンツ形状を有するボトム製品であって、
前記ボトム製品が、ボトム上端線Ｌ１を含んでボトム製品周方向に帯状に延びるウエストゴム部を任意に有し、
前記ボトム製品を、前中心線を含みかつ最大面積の領域で平面と接するように平面上に配置したときの、前記平面と接している部位を前布、前記平面と接していない部位を後布とし、前記前布と前記後布との左側の境界線を境界線ｌとし、前記前布と前記後布との右側の境界線を境界線ｒとし、前記後布の、股ぐり線下端Ｐ０から後中心線Ｌ２沿いに５ｃｍ上方の点をＰ１、Ｐ１から後中心線Ｌ２に対して垂直に左右方向に延びる左右線Ｌ３と、境界線ｌとの交点をＰ２、左右線Ｌ３と境界線ｒとの交点をＰ３、ボトム上端線Ｌ１と後中心線Ｌ２との交点をＰ４、ボトム上端線Ｌ１と境界線ｌとの交点をＰ５、ボトム上端線Ｌ１と境界線ｒとの交点をＰ６、後中心線Ｌ２上のＰ１とＰ４との中点をＰ７、ボトム上端線Ｌ１、境界線ｌ、左右線Ｌ３、境界線ｒで囲まれる領域を領域Ｒ１、ボトム上端線Ｌ１、境界線ｌ、左右線Ｌ４、境界線ｒで囲まれる領域を領域Ｒ２としたときに、
前記領域Ｒ１が、
全体が領域Ｒ２内に含まれており、かつ境界線ｌ及びｒから離間されている部位Ｃと、
前記部位Ｃに隣接し、境界線ｌ及びｒを含まず、かつ前記部位Ｃよりも左右方向の８０％伸長応力が小さい部位Ａと、
前記部位Ａに隣接しかつ前記部位Ｃに隣接せず、境界線ｌ及びｒを含み、前記部位Ａよりもバイアス方向の８０％伸長応力が大きい部位Ｂと、
を有し、
下記（１）又は（２）：
（１）前記ボトム製品が前記ウエストゴム部を有さず、前記部位Ｃが、前記Ｐ４から後中心線Ｌ２沿いに下側に延びる線分を含んで面積５〜２０ｃｍ2で広がる部位であること；又は
（２）前記ボトム製品が前記ウエストゴム部を有し、前記部位Ｃが、後中心線Ｌ２とウエストゴム部下端線Ｌ５との交点Ｐ１０から後中心線Ｌ２沿いに下側に延びる線分を含んで面積１〜１６ｃｍ2で広がる部位であること；
を満たす、ボトム製品。
【発明の詳細な説明】
【技術分野】
【０００１】
本開示は、ボトム製品に関する。
【背景技術】
【０００２】
従来、体型補正等の目的で、腹部、臀部、大腿部等を高応力の編地で覆うように設計されたボトム製品が種々開発されている。体型補正効果と、着脱容易性及び動作性とはしばしばトレードオフの関係となることから、ボトム製品においては、通常、部位ごとに異なる応力特性の組み合わせが採用されている。
【０００３】
特許文献１は、補整機能を有するボトム衣類であって、ボトム本体部と、緊締部とを含み、前記ボトム本体部は腹部部材および腹部部材固定部を有しており、前記ボトム本体部は伸縮性を有し、前記腹部部材固定部は前記腹部部材よりも低伸度であり、前記腹部部材の下端部は前記腹部部材固定部の前端部と連結されており、前記緊締部は帯状で、少なくとも長手方向に低伸縮であり、着用時における腸骨の位置の少なくとも一部を覆い、前記ボトム本体部の背面側から左右両脇を通り前側に至る領域の少なくとも一部に配置され、前記緊締部は、前記ボトム本体部の前側において連結されておらず、前記緊締部の前記ボトム本体部の左右両脇からの延長線の重なり部分が、前記腹部部材の下腹部領域に存在するように配置されていることを特徴とする、ボトム衣類を記載する。
【０００４】
また、特許文献２は、着用時に引き伸ばされることによって肌に密着するように形成された衣料用伸縮性経編地であって、少なくとも２種の応力の異なる部位が、該編地のヨコ方向に並んで配置されており、該編地中の最も弱い部位（低応力部）における８０％繰り返し伸長時３回目の８０％における該編地のヨコ方向の伸長応力Ｓ１が、１００〜５００ｃＮであり、かつ、該低応力部における８０％繰り返し伸長時３回目の８０％における該編地のタテ方向の伸長応力をＳ２としたとき、Ｓ２／Ｓ１が、１．０〜３．０であることを特徴とする衣料用伸縮性経編地を記載する。
【０００５】
人間の歩行、階段昇降等の日常動作において、最も皮膚が伸長する部位は太腿背面部である。このような大きな皮膚伸展をしている部位に、伸度が低く、皮膚伸展と生地伸展とに大きな伸度差がある生地を配すると、動作感の低下及び着用快適性の低下を招来する。特許文献２は、特に皮膚伸展の大きな臀部下部から太腿部背面に至る領域において、皮膚伸展に追随するような伸度を有する生地を配することで、十分な動作快適性を得ることに着目したものである。
【先行技術文献】
【特許文献】
【０００６】
【特許文献１】国際公開第２０１７／１８７９５６号
【特許文献２】特開２０１７−２０３２３２号公報
【発明の概要】
【発明が解決しようとする課題】
【０００７】
しかし、特許文献２に記載される技術では、着用者の腰部に対応する部位の動作時のずれを十分防止できず、ボトム製品としてのずれ抑制効果には改善の余地があった。
本発明は上記の課題を解決し、動作時の着用者の皮膚伸展に良好に追随すること（皮膚追随性）によって動作性に優れ、かつ、動作時のずれも十分に抑制されている、ボトム製品を提供することを目的とする。
【課題を解決するための手段】
【０００８】
本発明は、以下の態様を包含する。
［１］  着用者の少なくとも稜上平面から臀部下部の少なくとも一部までの部位を覆うパンツ形状を有するボトム製品であって、
前記ボトム製品が、ボトム上端線Ｌ１を含んでボトム製品周方向に帯状に延びるウエストゴム部を任意に有し、
前記ボトム製品を、前中心線を含みかつ最大面積の領域で平面と接するように平面上に配置したときの、前記平面と接している部位を前布、前記平面と接していない部位を後布とし、前記前布と前記後布との左側の境界線を境界線ｌとし、前記前布と前記後布との右側の境界線を境界線ｒとし、前記後布の、股ぐり線下端Ｐ０から後中心線Ｌ２沿いに５ｃｍ上方の点をＰ１、Ｐ１から後中心線Ｌ２に対して垂直に左右方向に延びる左右線Ｌ３と、境界線ｌとの交点をＰ２、左右線Ｌ３と境界線ｒとの交点をＰ３、ボトム上端線Ｌ１と後中心線Ｌ２との交点をＰ４、ボトム上端線Ｌ１と境界線ｌとの交点をＰ５、ボトム上端線Ｌ１と境界線ｒとの交点をＰ６としたときに、
ボトム上端線Ｌ１、境界線ｌ、左右線Ｌ３、境界線ｒで囲まれる領域Ｒ１のうち、バイアス方向の８０％伸長応力が最も小さい部位を部位Ａとしたときに、前記領域Ｒ１内において前記部位Ａが５０〜９５面積％を占め、かつ、前記領域Ｒ１のうち任意の前記ウエストゴム部を除く領域内に、バイアス方向の８０％伸長応力が前記部位Ａよりも大きい部位Ｂが配置されており、前記部位Ｂは、後中心線Ｌ２を挟んで互いに離間された左側領域と右側領域とを有する、ボトム製品。
［２］  前記部位Ａが、前記ボトム上端線Ｌ１又は前記ウエストゴム部に接しており、
前記部位Ｂにおいて、前記左側領域が前記境界線ｌを含み、前記右側領域が前記境界線ｒを含む、上記態様１に記載のボトム製品。
［３］  後中心線Ｌ２上のＰ１とＰ４との中点をＰ７、Ｐ７から後中心線Ｌ２に対して垂直に左右方向に延びる左右線Ｌ４と境界線ｌとの交点をＰ８、左右線Ｌ４と境界線ｒとの交点をＰ９としたときに、
ボトム上端線Ｌ１、境界線ｌ、左右線Ｌ４、境界線ｒで囲まれる領域Ｒ２のうち前記部位Ａの比率が５０〜９５面積％である、上記態様１又は２に記載のボトム製品。
［４］  前記ボトム製品が、前記部位Ａよりも左右方向の８０％伸長応力が大きい部位Ｃを有し、
下記（１）又は（２）：
（１）前記ボトム製品が前記ウエストゴム部を有さず、前記部位Ｃが、前記Ｐ４から後中心線Ｌ２沿いに下側に延びる線分を含んで面積５〜２０ｃｍ2で広がる部位であること；又は
（２）前記ボトム製品が前記ウエストゴム部を有し、前記部位Ｃが、後中心線Ｌ２とウエストゴム部下端線Ｌ５との交点Ｐ１０から後中心線Ｌ２沿いに下側に延びる線分を含んで面積１〜１６ｃｍ2で広がる部位であること；
を満たす、上記態様１〜３のいずれかに記載のボトム製品。
［５］  前記部位Ａのバイアス方向の８０％伸長応力Ｓ１が、１００〜５００ｃＮ／２５ｍｍである、上記態様１〜４のいずれかに記載のボトム製品。
［６］  前記部位Ａのバイアス方向の８０％伸長応力Ｓ１と、前記部位Ｂのバイアス方向の８０％伸長応力Ｓ２との比が、Ｓ１／Ｓ２＝０．３〜０．９である、上記態様１〜５のいずれかに記載のボトム製品。
［７］  着用者の少なくとも稜上平面から臀部下部の少なくとも一部までの部位を覆うパンツ形状を有するボトム製品であって、
前記ボトム製品が、ボトム上端線Ｌ１を含んでボトム製品周方向に帯状に延びるウエストゴム部を任意に有し、
前記ボトム製品を、前中心線を含みかつ最大面積の領域で平面と接するように平面上に配置したときの、前記平面と接している部位を前布、前記平面と接していない部位を後布とし、前記前布と前記後布との左側の境界線を境界線ｌとし、前記前布と前記後布との右側の境界線を境界線ｒとし、前記後布の、股ぐり線下端Ｐ０から後中心線Ｌ２沿いに５ｃｍ上方の点をＰ１、Ｐ１から後中心線Ｌ２に対して垂直に左右方向に延びる左右線Ｌ３と、境界線ｌとの交点をＰ２、左右線Ｌ３と境界線ｒとの交点をＰ３、ボトム上端線Ｌ１と後中心線Ｌ２との交点をＰ４、ボトム上端線Ｌ１と境界線ｌとの交点をＰ５、ボトム上端線Ｌ１と境界線ｒとの交点をＰ６、後中心線Ｌ２上のＰ１とＰ４との中点をＰ７、ボトム上端線Ｌ１、境界線ｌ、左右線Ｌ３、境界線ｒで囲まれる領域を領域Ｒ１、ボトム上端線Ｌ１、境界線ｌ、左右線Ｌ４、境界線ｒで囲まれる領域を領域Ｒ２としたときに、
前記領域Ｒ１が、
全体が領域Ｒ２内に含まれており、かつ境界線ｌ及びｒから離間されている部位Ｃと、
前記部位Ｃに隣接し、境界線ｌ及びｒを含まず、かつ前記部位Ｃよりも左右方向の８０％伸長応力が小さい部位Ａと、
前記部位Ａに隣接しかつ前記部位Ｃに隣接せず、境界線ｌ及びｒを含み、前記部位Ａよりもバイアス方向の８０％伸長応力が大きい部位Ｂと、
を有し、
下記（１）又は（２）：
（１）前記ボトム製品が前記ウエストゴム部を有さず、前記部位Ｃが、前記Ｐ４から後中心線Ｌ２沿いに下側に延びる線分を含んで面積５〜２０ｃｍ2で広がる部位であること；又は
（２）前記ボトム製品が前記ウエストゴム部を有し、前記部位Ｃが、後中心線Ｌ２とウエストゴム部下端線Ｌ５との交点Ｐ１０から後中心線Ｌ２沿いに下側に延びる線分を含んで面積１〜１６ｃｍ2で広がる部位であること；
を満たす、ボトム製品。
【発明の効果】
【０００９】
本発明によれば、動作時の着用者の皮膚伸展に良好に追随すること（皮膚追随性）によって動作性に優れ、かつ、動作時のずれも十分に抑制されている、ボトム製品が提供され得る。
【図面の簡単な説明】
【００１０】
【図１Ａ】本発明の一態様に係るボトム製品の後布を示す模式図である。
【図１Ｂ】本発明の一態様に係るボトム製品の後布を示す模式図である。
【図２Ａ】本発明の一態様に係るボトム製品の後布を示す模式図である。
【図２Ｂ】本発明の一態様に係るボトム製品の後布を示す模式図である。
【図３Ａ】本発明の一態様に係るボトム製品の後布を示す模式図である。
【図３Ｂ】本発明の一態様に係るボトム製品の後布を示す模式図である。
【図４Ａ】本発明の一態様に係るボトム製品の後布を示す模式図である。
【図４Ｂ】本発明の一態様に係るボトム製品の後布を示す模式図である。
【図５Ａ】本発明の一態様に係るボトム製品の後布を示す模式図である。
【図５Ｂ】本発明の一態様に係るボトム製品の後布を示す模式図である。
【図６Ａ】実施例１で作製したボトム製品６（ガードル）の後布の寸法を説明する模式図である。
【図６Ｂ】実施例１で作製したボトム製品６（ガードル）の後布を示す模式図である。
【図７】比較例１で作製したボトム製品７（ガードル）の後布を示す模式図である。
【図８】比較例２で作製したボトム製品８（ガードル）の後布を示す模式図である。
【図９】比較例３で作製したボトム製品９（ガードル）の後布を示す模式図である。
【図１０】比較例４で作製したボトム製品１０（ガードル）の後布を示す模式図である。
【図１１Ａ】実施例１１で作製したボトム製品１１（タイツ）の寸法を説明する模式図である。
【図１１Ｂ】実施例１１で作製したボトム製品１１（タイツ）の後布を示す図である。
【図１２】実施例１２で作製したボトム製品１２（タイツ）の後布を示す模式図である。
【図１３】比較例５で作製したボトム製品１３（タイツ）の後布を示す図である。
【図１４】人体における骨格と皮膚との関係について説明する模式図である。
【発明を実施するための形態】
【００１１】
以下、本発明の例示の実施形態（以下、本実施形態ともいう。）について具体的に説明するが、本発明はこれらの実施形態に限定されるものではない。また図面において同一の参照符号を付した要素は互いに同様の構成又は機能を有する要素であることが意図される。本開示のボトム製品における長さ及び面積は、特記がない限りボトム製品の布帛上での長さ及び面積を意味する。
【００１２】
図１４は、人体における骨格と皮膚との関係について説明する模式図である。図１４を参照し、本発明者らは、人体の仙骨、尾骨及び腸骨にかけての領域には、骨と皮膚との距離が大きく動作時に皮膚が大きく伸長する部位（図１４中の部位Ｉ）と、骨と皮膚との距離が小さく動作時に皮膚が伸長しにくい部位（図１４中の部位ＩＩ）とが存在することに着目し、ボトム製品において、特に部位Ｉに対応する部位において人体の動きへの追随性を良好にすることの重要性に着目した。本実施形態に係るボトム製品は、特に部位Ｉに対応する部位の布帛の物性が制御されていることで、着圧快適性とずれ抑制との両立を実現し得る。
【００１３】
図１Ａ、１Ｂ、２Ａ、２Ｂ、３Ａ、３Ｂ、４Ａ、４Ｂ、５Ａ、５Ｂは本発明の一態様に係るボトム製品の後布を示す図である。本実施形態に係るボトム製品は、着用者の少なくとも稜上平面（すなわち、左右の腸骨の最上部を通る平面）から臀部下部（すなわち、ヒップトップから臀溝までの部位）の少なくとも一部までの部位を覆うパンツ形状を有する。ボトム製品は、ボトム上端線Ｌ１を含んでボトム製品周方向に延びるウエストゴム部Ｗを任意に有する。図１Ａ、２Ａ、３Ａ、４Ａ、５Ａはウエストゴム部Ｗを設けない例、図１Ｂ、２Ｂ、３Ｂ、４Ｂ、５Ｂはウエストゴム部Ｗを設ける例をそれぞれ示している。
【００１４】
例えば図１Ａ、１Ｂ、２Ａ及び２Ｂを参照し、ボトム製品１Ａ，１Ｂ，２Ａ，２Ｂは、前中心線を含みかつ最大面積の領域で平面と接するように平面上に配置（すなわち平置き）したときの、平面と接している部位を前布、平面と接していない部位を後布とし、前布と後布との左側の境界線を境界線ｌとし、前布と後布との右側の境界線を境界線ｒとし、後布の、股ぐり線下端Ｐ０から後中心線Ｌ２沿いに５ｃｍ上方の点をＰ１、Ｐ１から後中心線Ｌ２に対して垂直に左右方向に延びる左右線Ｌ３と、境界線ｌとの交点をＰ２、左右線Ｌ３と境界線ｒとの交点をＰ３、ボトム上端線Ｌ１と後中心線Ｌ２との交点をＰ４、ボトム上端線Ｌ１と境界線ｌとの交点をＰ５、ボトム上端線Ｌ１と境界線ｒとの交点をＰ６としたときに、ボトム上端線Ｌ１、境界線ｌ、左右線Ｌ３、境界線ｒで囲まれる領域Ｒ１（したがって、ボトム製品がウエストゴム部Ｗを有する場合、領域Ｒ１は当該ウエストゴム部Ｗを含むことになる。）のうち、バイアス方向の８０％伸長応力が最も小さい部位を部位Ａとしたときに、領域Ｒ１内において部位Ａが５０〜９５面積％を占め、かつ、領域Ｒ１内に、バイアス方向の８０％伸長応力が部位Ａよりも大きい部位Ｂを有する。ウエストゴム部Ｗが存在する場合、部位Ｂは当該ウエストゴム部Ｗを除く領域内に配置されている。一態様において、ボトム上端線Ｌ１は、着用者の腸骨稜上縁囲に対応するように設計された部位であってよい。
【００１５】
一態様において、部位Ｂは、後中心線Ｌ２を挟んで互いに離間された左側領域と右側領域とを有する。図２Ａにおいて、部位Ｂは、境界線ｌ上の点Ｐ５及びＰ１３と、点Ｐ１５とで囲まれる左側領域、及び境界線ｒ上の点Ｐ６及びＰ１４と、点Ｐ１６とで囲まれる右側領域からなる。図２Ｂにおいて、部位Ｂは、境界線ｌ上の点Ｐ１１及びＰ１３と、点Ｐ１５とで囲まれる左側領域、及び境界線ｒ上の点Ｐ１２及びＰ１４と、点Ｐ１６とで囲まれる右側領域からなる。なお点Ｐ１０は後中心線Ｌ２とウエストゴム部下端線Ｌ５との交点であり、点Ｐ１１は境界線ｌとウエストゴム部下端線Ｌ５との交点であり、点Ｐ１２は境界線ｒとウエストゴム部下端線Ｌ５との交点である。
【００１６】
本開示で、「上下方向」とは後中心線Ｌ２と平行の方向を意味し、「左右方向」とは該上下方向と垂直の方向を意味し、「バイアス方向」とは該上下方向及び該左右方向に対して４５°をなす方向（図１Ａ中の矢印ａの方向）を意味する。
【００１７】
領域Ｒ１のうち、部位Ａは、バイアス方向の伸長応力が相対的に小さい（すなわち伸長性が相対的に高い）ことにより、良好な皮膚追随性による優れた動作性に寄与する。一方、部位Ｂは、バイアス方向の伸長応力が相対的に大きい（すなわち伸長性が相対的に低い）ことにより、伸び止め部として機能し、腰部の良好な着圧の維持に寄与する。このような部位Ａと部位Ｂとの共存により、本実施形態のボトム製品は、良好な皮膚追随性による動作性と良好なずれ抑制特性とを併せ持つことができる。一態様において、部位Ａと部位Ｂとの共存は、腹部の着圧を過度に増大させることなく腰部の良好な着圧を得るという利点も与え得る。
【００１８】
部位Ｂは、良好な皮膚追随性による優れた動作性及び動作時のずれ抑制の観点から、着用者の脇部に対応する位置に設けられることが好ましい。典型的な態様において、部位Ｂは左右で対をなす（すなわち左右対称の）形状を有する。図２Ａ及び２Ｂを参照し、一態様において、部位Ａは、ボトム上端線Ｌ１又はウエストゴム部Ｗに接しており、一態様において、部位Ｂは、境界線ｌ及びｒ（すなわち脇線）をそれぞれ通る左側領域及び右側領域を有する。
【００１９】
一態様において、部位Ｂは、図２Ａ及び２Ｂに示すように、ボトム製品２Ａ，２Ｂにおける部位Ａと部位Ｂとの境界線が、境界線ｌと後中心線Ｌ２との間の領域及び境界線ｒと後中心線Ｌ２との間の領域を通る（すなわち、着用者脇部に対応する位置において部位Ａが部位Ｂで切り欠かれた形状を有する）ように配置される。このような形態は、部位Ａと部位Ｂとの共存による、良好な皮膚追随性による優れた動作性と良好なずれ抑制特性との両立という利点が一層良好に得られる。
【００２０】
一態様において、部位Ｂの左側領域及び右側領域は、着用者の左脇部及び右脇部にそれぞれ沿って縦長形状にて（すなわち上下方向最大寸法が左右方向最大寸法よりも大きい形状にて）延在している。一態様において、部位Ｂは、例えば図２Ａ及び２Ｂに示すように三角形形状であってよい。別の態様において、部位Ｂは、円形や楕円形形状であってよい。
【００２１】
領域Ｒ１における部位Ａの比率は、良好な皮膚追随性による優れた動作性を得る観点から、５０面積％以上であり、好ましくは６０面積％以上、より好ましくは７０面積％以上である。領域Ｒ１における部位Ａの比率は、腰部の良好な着圧の維持の観点から、９５面積％以下であり、好ましくは９３面積％以下、より好ましくは９０面積％以下である。
【００２２】
部位Ａのバイアス方向の８０％伸長応力は、腰部の良好な着圧の維持の観点から、好ましくは１００ｃＮ／２５ｍｍ以上、より好ましくは１３０ｃＮ／２５ｍｍ以上、更に好ましくは１５０ｃＮ／２５ｍｍ以上であり、良好な皮膚追随性による優れた動作性を得る観点から、好ましくは５００ｃＮ／２５ｍｍ以下、より好ましくは４５０ｃＮ／２５ｍｍ以下、更に好ましくは４００ｃＮ／２５ｍｍ以下である。
【００２３】
部位Ａの上下方向の８０％伸長応力は、好ましくは、１００ｃＮ／２５ｍｍ以上、より好ましくは１３０ｃＮ／２５ｍｍ以上、更に好ましくは１５０ｃＮ／２５ｍｍ以上であり、好ましくは５００ｃＮ／２５ｍｍ以下、より好ましくは４５０ｃＮ／２５ｍｍ以下、更に好ましくは４００ｃＮ／２５ｍｍ以下である。
【００２４】
部位Ａの左右方向の８０％伸長応力は、好ましくは、２００ｃＮ／２５ｍｍ以上、より好ましくは２５０ｃＮ／２５ｍｍ以上、更に好ましくは３００ｃＮ／２５ｍｍ以上であり、好ましくは、好ましくは７００ｃＮ／２５ｍｍ以下、より好ましくは６００ｃＮ／２５ｍｍ以下、更に好ましくは５００ｃＮ／２５ｍｍ以下である。
【００２５】
部位Ｂのバイアス方向の８０％伸長応力は、好ましくは２００ｃＮ／２５ｍｍ以上、より好ましくは３００ｃＮ／２５ｍｍ以上、更に好ましくは４００ｃＮ／２５ｍｍ以上であり、好ましくは１０００ｃＮ／２５ｍｍ以下、より好ましくは９００ｃＮ／２５ｍｍ以下、更に好ましくは８００ｃＮ／２５ｍｍ以下である。
【００２６】
部位Ｂの上下方向の８０％伸長応力は、好ましくは、２００ｃＮ／２５ｍｍ以上、より好ましくは３００ｃＮ／２５ｍｍ以上、更に好ましくは３５０ｃＮ／２５ｍｍ以上であり、好ましくは、好ましくは７００ｃＮ／２５ｍｍ以下、より好ましくは６００ｃＮ／２５ｍｍ以下、更に好ましくは５００ｃＮ／２５ｍｍ以下である。
【００２７】
部位Ｂの左右方向の８０％伸長応力は、好ましくは、３００ｃＮ／２５ｍｍ以上、より好ましくは４００ｃＮ／２５ｍｍ以上、更に好ましくは５００ｃＮ／２５ｍｍ以上であり、好ましくは、好ましくは１２００ｃＮ／２５ｍｍ以下、より好ましくは１１００ｃＮ／２５ｍｍ以下、更に好ましくは１０００ｃＮ／２５ｍｍ以下である。
【００２８】
部位Ａのバイアス方向の８０％伸長応力Ｓ１と、部位Ｂのバイアス方向の８０％伸長応力Ｓ２との比Ｓ１／Ｓ２は、腰部の良好な着圧を維持する観点から、好ましくは０．３以上、より好ましくは０．３５以上、更に好ましくは０．４以上であり、良好な皮膚追随性による優れた動作性を得る観点から、好ましくは０．９以下、より好ましくは０．８８以下、更に好ましくは０．８５以下である。
【００２９】
ウエストゴム部の左右方向の８０％伸長応力は、良好なずれ抑制効果を得る観点から、好ましくは３００ｃＮ／２５ｍｍ以上、より好ましくは４００ｃＮ／２５ｍｍ以上、更に好ましくは５００ｃＮ／２５ｍｍ以上であり、着用快適性の低下を防止する観点から、好ましくは１２００ｃＮ／２５ｍｍ以下、より好ましくは１１００ｃＮ／２５ｍｍ以下、更に好ましくは１０００ｃＮ／２５ｍｍ以下である。
【００３０】
ウエストゴム部の左右方向の８０％伸長応力は、より良好なずれ抑制効果を得る観点から、部位Ａの左右方向の８０％伸長応力に対して、好ましくは１．５倍以上、より好ましくは１．８倍以上、更に好ましくは２．０倍以上であり、良好な着用快適性を得る観点から、好ましくは６．０倍以下、より好ましくは５．５倍以下、更に好ましくは５．０倍以下である。
【００３１】
図３Ａ及び３Ｂを参照し、一態様において、ボトム製品３Ａ，３Ｂの後中心線Ｌ２上のＰ１とＰ４との中点をＰ７、Ｐ７から後中心線Ｌ２に対して垂直に左右方向に延びる左右線Ｌ４と境界線ｌとの交点をＰ８、左右線Ｌ４と境界線ｒとの交点をＰ９としたときに、ボトム上端線Ｌ１、境界線ｌ、左右線Ｌ４、境界線ｒで囲まれる領域Ｒ２のうち部位Ａの比率は、好ましくは５０〜９５面積％である。領域Ｒ２は、動作時の皮膚の伸長が特に大きい部位に対応する。領域Ｒ２内の部位Ａの比率を５０面積％以上とすることは、良好な皮膚追随性による動作性の一層の向上に有利である。領域Ｒ２における部位Ａの比率は、より好ましくは５５面積％以上、更に好ましくは６０面積％以上、特に好ましくは６５面積％以上である。領域Ｒ２における部位Ａの比率は、領域Ｒ２内に部位Ｂを存在させることによって良好なずれ抑制効果を得る観点から、好ましくは９５面積％以下、より好ましくは９３面積％以下、更に好ましくは９０面積％以下である。
【００３２】
図４Ａ及び４Ｂを参照し、一態様において、ボトム製品４Ａ，４Ｂは、部位Ａよりも左右方向の８０％伸長応力が大きい部位Ｃを有する。この態様において、ボトム製品は、下記（１）又は（２）：
（１）図４Ａを参照し、ボトム製品４Ａがウエストゴム部を有さず、部位Ｃが、Ｐ４から後中心線Ｌ２沿いに下側に延びる線分Ｐ４−Ｐ１９を含んで面積５〜２０ｃｍ2で広がる部位であること；又は
（２）図４Ｂを参照し、ボトム製品４Ｂがウエストゴム部Ｗを有し、部位Ｃが、後中心線Ｌ２とウエストゴム部下端線Ｌ５との交点Ｐ１０から後中心線Ｌ２沿いに下側に延びる線分Ｐ１０−Ｐ１９を含んで面積１〜１６ｃｍ2で広がる部位であること；
を満たす。典型的な態様において、部位Ｃは、後中心線Ｌ２を挟んで左右対称の形状を有する。
【００３３】
一態様において、部位Ｃは、ボトム製品上端線Ｌ１上の点Ｐ１７及びＰ１８と点Ｐ１９とで囲まれるような三角形の領域であってよく、一態様において、ウエストゴム部下端線Ｌ５上の点Ｐ２０及びＰ２１と点Ｐ１９とで囲まれるような三角形形状であってよい。別の態様において、部位Ｃは、円形や四角形等の形状であってよい。
【００３４】
部位Ｃの存在は、ずれ抑制特性の一層の向上に有利である。図１４を参照し、部位Ｃは、図１４中の部位ＩＩ（すなわち、皮膚の伸長が少ない部位）に対応するように、ボトム製品の上部中央に配置される。ボトム製品において、部位Ｃの伸長応力を比較的大きくすることは、ボトム製品の皮膚追随性による動作性の低下を伴わずに、腰部の良好な着圧の確保によるずれ抑制効果を得る観点から有利である。
【００３５】
ボトム製品がウエストゴム部を有さない態様において、部位Ｃの面積は、良好なずれ抑制効果を得る観点から、好ましくは５ｃｍ2以上、より好ましくは６．０ｃｍ2以上、更に好ましくは７．０ｃｍ2以上であり、ボトム製品の良好な皮膚追随性による優れた動作性を得る観点から、好ましくは２０．０ｃｍ2以下、より好ましくは１９．０ｃｍ2以下、更に好ましくは１８．０ｃｍ2以下である。
ボトム製品がウエストゴム部を有さない態様において、領域Ｒ１に対する部位Ｃの面積比率は、良好なずれ抑制効果を得る観点から、好ましくは、１．０面積％以上、又は２．０面積％以上、又は３．０面積％以上であり、ボトム製品の良好な皮膚追随性による優れた動作性を得る観点から、好ましくは、１０．０面積％以下、又は９．０面積％以下、又は８．０面積％以下である。また領域Ｒ２に対する部位Ｃの面積比率は、良好なずれ抑制効果を得る観点から、好ましくは、１．０面積％以上、又は２．０面積％以上、又は３．０面積％以上であり、ボトム製品の良好な皮膚追随性による優れた動作性を得る観点から、好ましくは、８．０面積％以下、又は７．０面積％以下、又は６．０面積％以下である。
【００３６】
一方、ボトム製品がウエストゴム部を有する態様において、部位Ｃの面積は、良好なずれ抑制効果を得る観点から、好ましくは１．０ｃｍ2以上、より好ましくは２．０ｃｍ2以上、更に好ましくは３．０ｃｍ2以上であり、ボトム製品の良好な皮膚追随性による優れた動作性を得る観点から、好ましくは１６ｃｍ2以下、より好ましくは１５ｃｍ2以下、更に好ましくは１４ｃｍ2以下である。ウエストゴム部は、通常、左右方向の伸長応力が比較的大きくなるように構成されているため、ウエストゴム部が存在する場合の部位Ｃの面積は、ウエストゴム部が存在しない場合と比べて小さくてよい。
ボトム製品がウエストゴム部を有する態様において、領域Ｒ１に対する部位Ｃの面積比率は、良好なずれ抑制効果を得る観点から、好ましくは、０．５面積％以上、又は１．０面積％以上、又は１．５面積％以上であり、ボトム製品の良好な皮膚追随性による優れた動作性を得る観点から、好ましくは、１５．０面積％以下、又は１３．０面積％以下、又は１１．０面積％以下である。また領域Ｒ２に対する部位Ｃの面積比率は、良好なずれ抑制効果を得る観点から、好ましくは、０．５面積％以上、又は１．０面積％以上、又は１．５面積％以上であり、ボトム製品の良好な皮膚追随性による優れた動作性を得る観点から、好ましくは、１５．０面積％以下、又は１４．０面積％以下、又は１３．０面積％以下である。
【００３７】
部位Ａの左右方向の８０％伸長応力Ｅ１に対する部位Ｃの左右方向の８０％伸長応力Ｅ２の比Ｅ２／Ｅ１は、部位Ｃの存在による良好なずれ抑制効果を得る観点から、好ましくは１超、より好ましくは１．３以上、更に好ましくは１．５以上であり、部位Ｃの伸長応力が相対的に大きすぎることによる着用快適性の低下を防止する観点から、好ましくは１０．０以下、より好ましくは９．０以下、更に好ましくは８．０以下である。
【００３８】
図５Ａ及び５Ｂを参照し、好ましい態様に係るボトム製品５Ａ，５Ｂにおいて、領域Ｒ１は、
全体が領域Ｒ２内に含まれており、かつ境界線ｌ及びｒから離間されている部位Ｃと、
部位Ｃに隣接し、境界線ｌ及びｒを含まず、かつ部位Ｃよりも左右方向の８０％伸長応力が小さい部位Ａと、
部位Ａに隣接しかつ部位Ｃに隣接せず、境界線ｌ及びｒを含み、部位Ａよりもバイアス方向の８０％伸長応力が大きい部位Ｂと、
を有する。この態様において、ボトム製品は、下記（１）又は（２）：
（１）図５Ａを参照し、ボトム製品５Ａがウエストゴム部を有さず、部位Ｃが、Ｐ４から後中心線Ｌ２沿いに下側に延びる線分を含んで面積５〜２０ｃｍ2で広がる部位であること；又は
（２）図５Ｂを参照し、ボトム製品５Ｂがウエストゴム部Ｗを有し、部位Ｃが、後中心線Ｌ２とウエストゴム部下端線Ｌ５との交点Ｐ１０から後中心線Ｌ２沿いに下側に延びる線分を含んで面積１〜１６ｃｍ2で広がる部位であること；
を満たす。
上記のような配置で部位Ａ、Ｂ及びＣが存在することで、図１４中の部位ＩＩ（すなわち、皮膚の伸長が少ない部位）に対応する部位に左右方向伸長応力が比較的大きい部位Ｃが存在し、脇部にバイアス方向伸長応力が比較的大きい部位Ｂが存在し、かつ部位Ｂと部位Ｃとの間の、図１４中の部位Ｉ（すなわち、皮膚の伸長が大きい部位）に対応する部位に、左右方向伸長応力及びバイアス方向伸長応力が比較的小さい部位Ａが存在することになり、ボトム製品の皮膚追随性による動作性の低下を伴わずに、腰部の良好な着圧の確保によってずれを抑制するという利点が一層顕著に得られる。
【００３９】
ボトム製品を構成する布帛は、所望及び目的に応じて適宜選択でき、編地又は織地であってよく、典型的には編地であり、より典型的には経編地であってよい。経編地は、ジャガード編地、シングルトリコット編地等であってよく、好ましくは非弾性糸と弾性糸との組合せで編成されてなる編地である。非弾性糸としては、ナイロン等が好適であり、弾性糸としては、ポリウレタン弾性糸等が好適である。ウエストゴム部は、本体布帛と、これに固定（例えば縫着、接着等により）されたゴム部品とで構成されてよい。ゴム部品は、当業者に一般的なものであってよい。
【００４０】
部位Ａ、Ｂ及びＣを構成する布帛は、各々単層又は複層であってよい。部位Ａ及びＢ並びに任意の部位Ｃの形成は、（１）単独の編地において編組織の制御等によって伸長応力を部位間で異ならせる方法、（２）本体布帛に当該本体布帛よりも伸長応力が大きい別布を積層すること等によって布帛の層構成を部位間で異ならせ、例えば本体布帛のみの部分を部位Ａ、積層部分を部位Ｂ及び任意の部位Ｃとする方法、等によって実現できる。上記のような方法を当業者の技術常識に従って適宜選択することで布帛の伸長応力を任意に制御できる。
【００４１】
本実施形態のボトム製品において、前布の構成に特段の限定はない。例えば、部位Ａを構成する布帛と同様の特性を有する布帛（例えば部位Ａとバイアス方向８０％伸長応力が同様の布帛）を用いて前布を構成してよい。
【実施例】
【００４２】
以下、本発明を実施例及び比較例により更に具体的に説明するが、本発明はこれら実施例に限定されるものではない。尚、実施例及び比較例における各種測定は下記の手順で行った。
【００４３】
（１）８０％伸長応力
ボトム製品より切り出した生地の伸長応力は次の方法により測定した。
バイアス方向の８０％伸長応力測定に供するサンプルとして、製品のタテ方向に対し、斜め４５度が伸長方向となるようにサンプルを作製した。また、左右方向の８０％伸長応力測定に供するサンプルとして、製品のヨコ方向が伸長方向となるようにサンプルを作製した。なお、各サンプルの大きさ及び測定条件を以下に示す。
試料の大きさ：長さ１００ｍｍ（把持部を除く）、幅２５ｍｍ
引張り試験機：テンシロン引張り試験機（（株）オリエンテック製  ＲＴＣ−１２１０Ａ）
初荷重：０．１Ｎ
引張り速度：３００ｍｍ／ｍｉｎ
引張り長及び測定：８０％伸長まで伸長し、伸長後同じ速度で元の長さに戻し（回復させ）、この条件で伸長、回復を計３回繰り返し、３回目の８０％伸長時の伸長応力値を求めた。
製品形態の都合などで把持長１００ｍｍを確保できない場合は５０ｍｍの把持長で行った。また、把持長５０ｍｍを確保できない場合は、確保できる把持長にてサンプリングを行った。また、幅が２５ｍｍを確保できない場合は、確保できる幅にてサンプリングを行い、以下の式によって、２５ｍｍ当たりの荷重に換算した。
伸長応力［ｃＮ］＝測定応力［ｃＮ］×（２５［ｍｍ］／測定時のサンプル幅［ｍｍ］）
【００４４】
（２）領域Ｒ１及びＲ２の部位Ａの面積率
ボトムにおいて、領域Ｒ１及びＲ２を求め、バイアス方向の８０％伸長応力が最も小さい生地によって構成されている部位を部位Ａとし、領域Ｒ１及びＲ２内における前記部位Ａの面積比率を下記式にて算出した。
領域Ｒ１における部位Ａの面積比率［％］＝（領域Ｒ１中の部位Ａの面積［ｃｍ2］／領域Ｒ１の面積［ｃｍ2］）×１００
領域Ｒ２における部位Ａの面積比率［％］＝（領域Ｒ２中の部位Ａの面積［ｃｍ2］／領域Ｒ２の面積［ｃｍ2］）×１００
【００４５】
（３）着圧測定
標準体型のＭサイズのマネキンにおいて、腹部３点（へそ下３ｃｍ及びへそ下３ｃｍから左右に５ｃｍ平行移動した各点）及び、背面２点（稜上線と背中心を結ぶ点から左右に７ｃｍ平行移動した各点）にエーエムアイ・テクノ社製着圧測定器ＡＭＩ−３０３７−１０に接続したエアパックを貼付け、本実施形態のボトム衣料のＭサイズを着用させた時の着圧（ｋＰａ）を、脱着を３回繰り返し測定し、その平均を求めた。なお、腹部の着圧としては、腹部３点の平均値、背面の着圧としては、背面２点の平均値をそれぞれ腹部着圧及び背部着圧として算出した。
【００４６】
（４）ズレ量測定
２０歳〜５０歳の被験者５名にボトム製品を着用させ、高さ３０ｃｍの長方形の台を被験者のつま先から前方１０ｃｍの場所に置き、前記台に手をつくように前屈動作を実施した。被験者には、着用時の背面のボトム製品上端線の位置をマーカーペンにて肌に記入し、その点を着用初期位置とした。
その後、前屈している途中（手をついている際）に、ボトム製品上端線のうち上記着用初期位置から臀部側へ最もズレ下がっている点の上記着用初期位置からのズレ長さをメジャーにて測定し、前屈時ズレ量とした。また、前屈後、立位状態に戻った際に、ボトム製品上端線のうち上記着用初期位置から臀部側へ最もズレ下がっている点の上記着用初期位置からのズレ長さをメジャーにて測定し、戻り時ズレ量とした。
各被験者は、２度同じ動作をし、ズレ量を測定してその平均値を算出した。なお、２度目の測定時には、ボトム製品を初期位置まで履きなおさせた状態で、２度目の測定を実施した。
【００４７】
（５）着用感
フィット感、動作性、補正感、着脱のしやすさ、ずれ感、及び快適感について、被験者５名にて以下の基準で評価し、５名の平均値を算出した。
【００４８】
＜フィット感＞
５：非常に体にフィットする
４：かなり体にフィットする
３：体にフィットする
２：体にフィットしづらい
１：体にフィットしない
【００４９】
＜動作性＞
５：動作によく追随し、非常に動きやすい
４：動作に追随し、動きやすい
３：どちらともいえない
２：動作にやや追随しにくく、やや動きにくい
１：動作に追随しにくく、非常に動きにくい
【００５０】
＜補正感＞
５：非常に補正を感じる
４：やや補正を感じる
３：どちらともいえない
２：やや緩く感じる
１：非常に緩く感じる
【００５１】
＜着脱のしやすさ＞
５：非常に着脱しやすい
４：着脱しやすい
３：どちらともいえない
２：やや着脱しにくい
１：非常に着脱しにくい
【００５２】
＜ずれ感＞
５：非常にずれにくい
４：ずれにくい
３：どちらともいえない
２：ややずれやすい
１：非常にずれやすい
【００５３】
＜快適感＞
５：非常に快適
４：快適
３：どちらともいえない
２：やや不快
１：非常に不快
【００５４】
［実施例１］
図６Ａは、実施例１で作製したボトム製品６（ガードル）の後布の寸法を説明する模式図である。図６Ａ中、ｄ１＝４０．０ｃｍ、ｄ２＝２５．５ｃｍ、ｄ３＝２２．０ｃｍ、ｄ４＝１７．０ｃｍ、ｄ５＝１７．０ｃｍであり、これらは一般的なＭサイズのガードルに対応する寸法である。図６Ｂは、実施例１で作製したボトム製品６（ガードル）の後布を示す模式図である。
【００５５】
２８ゲージのジャカードラッシェル機（４枚筬（ＧＢ１〜ＧＢ４）を備える。以下ジャカードラッシェル機について同様。）を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸３１０ｄｔｅｘ／３６ｆを、第２弾性糸（ＧＢ４）としてポリウレタン弾性糸４７ｄｔｅｘ／４ｆ（挿入糸として）を使用した。得られた生機はヨコ方向に繰り返しパターンを有しており、ヨコ方向における繰り返しパターンの１つの幅が生機の状態で４５ｃｍとなるよう作製した。編成後、リラックス、プレセット、染色を経て、仕上げの熱セットを行い、編地を作製した。なお、本編地では、部位Ａ、部位Ｂ、及び部位Ｃに対応する領域を同一の編地内（すなわち１枚もの）で配するように編地を作製した。別途、幅１ｃｍのウエストゴムを準備した。
【００５６】
上記で得た編地及びウエストゴム、並びに図６Ａに示す一般的なＭサイズに対応する型紙を用いて、幅ｗ１が１ｃｍのウエストゴムが縫着されたガードルを作製した。部位Ｂは、上下長（すなわち境界線ｌ上のＰ１１−Ｐ１３間の長さ及び境界線ｒ上のＰ１２−Ｐ１４間の長さ、以下実施例について同様。）が各々２１．０ｃｍ、左右長（すなわち境界線ｌと点Ｐ１５との距離及び境界線ｒと点Ｐ１６との距離、以下実施例について同様。）が各々２．５ｃｍの三角形形状である。部位Ｃは、左右長（すなわちウエストゴム部下端線Ｌ５上のＰ２０−Ｐ２１間の長さ、以下実施例について同様。）が３．５７ｃｍ、上下長（すなわちウエストゴム部下端線Ｌ５と後中心線Ｌ２上の点Ｐ１９との距離、以下実施例について同様。）が２．５ｃｍの三角形形状である。なお部位Ｃに対応する組織は、ボトム製品上端線Ｌ１上の左右長５．０ｃｍ、かつ上下長３．５ｃｍにて三角形形状で配置したが、部位Ｃは、部位Ｃに対応する組織の配置部位からウエストゴム部を除いた部位である。作製したガードルを用いて着用試験を実施した。
【００５７】
［実施例２］
部位Ａのみの領域で、部位Ｂ、Ｃを設けない以外は、実施例１と同様に編地を作製し、加工を実施した。
また、同編地より、図６Ａに示す一般的なＭサイズのガードルに対応する型紙を用いてガードルを作製し、背面が図６Ｂの配置となるよう部位Ｂ及び部位Ｃに対応する部分に２８ゲージで作製したトリコットの生地をボンディングにて貼り付けることで、部位Ｂ及び部位Ｃを形成し、幅ｗ１が１ｃｍのウエストゴムを縫着した。部位Ｂ及びＣの形状及び寸法は実施例１と同じである。作製したガードルを用いて着用試験を実施した。
【００５８】
［実施例３］
編地加工時の条件を変更することで編地の伸長応力を変えた以外は、実施例１と同様の条件で編地の作製及び着用試験を行った。
【００５９】
［実施例４］
２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸１５５ｄｔｅｘ／１８ｆを、第２弾性糸（ＧＢ４）としてポリウレタン弾性糸４７ｄｔｅｘ／４ｆ（挿入糸として）を使用した。加工条件は、実施例１と同様の条件で実施した。
なお、本編地では、部位Ａ及び部位Ｂ及び部位Ｃに対応する領域を同一の編地内で配するように編地を作製した。別途、実施例１と同じウエストゴムを準備した。
上記で得た編地及びウエストゴム、並びに図６Ａに示す一般的なＭサイズのガードルに対応する型紙を用いて、幅ｗ１が１ｃｍのウエストゴムが縫着されたガードルを作製した。部位Ｂは、上下長が各々２１．５ｃｍ、左右長が各々６．５ｃｍの三角形形状である。部位Ｃは、左右長が３．５７ｃｍ、上下長が２．５ｃｍの三角形形状である。なお部位Ｃに対応する組織は、ボトム製品上端線Ｌ１上の左右長５．０ｃｍ、かつ上下長３．５ｃｍにて三角形形状で配置したが、部位Ｃは、部位Ｃに対応する組織の配置部位からウエストゴム部を除いた部位である。作製したガードルを用いて着用試験を実施した。
【００６０】
［実施例５］
２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸３１０ｄｔｅｘ／３６ｆを、第２弾性糸（ＧＢ４）としてポリウレタン弾性糸４７ｄｔｅｘ／４ｆ（挿入糸として）を使用した。加工条件は、実施例１と同様の条件で実施した。
なお、本編地では、部位Ａ及び部位Ｂ及び部位Ｃに対応する領域を同一の編地内で配するように編地を作製した。別途、実施例１と同じウエストゴムを準備した。
上記で得た編地及びウエストゴム、並びに一般的なＭサイズのガードルに対応する型紙を用いて、幅１．０ｃｍのウエストゴムが縫着されたガードルを作製した。部位Ｂは、上下長が各々２２．５ｃｍ、左右長が各々５．０ｃｍの三角形形状である。部位Ｃは、左右長が３．７５ｃｍ、上下長が３．０ｃｍの三角形形状である。なお部位Ｃに対応する組織は、ボトム製品上端線Ｌ１上の左右長５．０ｃｍ、かつ上下長４．０ｃｍにて三角形形状で配置したが、部位Ｃは、部位Ｃに対応する組織の配置部位からウエストゴム部を除いた部位である。作製したガードルを用いて着用試験を実施した。
【００６１】
［実施例６］
２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸１５５ｄｔｅｘ／１８ｆを、第２弾性糸（ＧＢ４）としてポリウレタン弾性糸４７ｄｔｅｘ／４ｆ（挿入糸として）を使用した。加工条件は、実施例１と同様の条件で実施した。
なお、本編地では、部位Ａ及び部位Ｂ及び部位Ｃに対応する領域を同一の編地内で配するように編地を作製した。別途、実施例１と同じウエストゴムを準備した。
上記で得た編地及びウエストゴム、並びに図６Ａに示す一般的なＭサイズのガードルに対応する型紙を用いて、幅ｗ１が１．０ｃｍのウエストゴムが縫着されたガードルを作製した。部位Ｂは、上下長が各々２１．５ｃｍ、左右長が各々６．５ｃｍの三角形形状である。部位Ｃは、左右長が５．２５ｃｍ、上下長が７．０ｃｍの三角形形状である。なお部位Ｃに対応する組織は、ボトム製品上端線Ｌ１上の左右長６．０ｃｍ、かつ上下長８．０ｃｍにて三角形形状で配置したが、部位Ｃは、部位Ｃに対応する組織の配置部位からウエストゴム部を除いた部位である。作製したガードルを用いて着用試験を実施した。
【００６２】
［実施例７］
２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸１５５ｄｔｅｘ／１８ｆを、第２弾性糸（ＧＢ４）としてポリウレタン弾性糸４７ｄｔｅｘ／４ｆ（挿入糸として）を使用した。加工条件は、実施例１と同様の条件で実施した。
なお、本編地では、部位Ａ及び部位Ｂ及び部位Ｃに対応する領域を同一の編地内で配するように編地を作製した。別途、実施例１と同じウエストゴムを準備した。
上記で得た編地及びウエストゴム、並びに図６Ａに示す一般的なＭサイズのガードルに対応する型紙を用いて、幅ｗ１が１．０ｃｍのウエストゴムが縫着されたガードルを作製した。部位Ｂは、上下長が各々２２．０ｃｍ、左右長が各々２．５ｃｍの三角形形状である。部位Ｃは、左右長が３．５７ｃｍ、上下長が２．５ｃｍの三角形形状である。なお部位Ｃに対応する組織は、ボトム製品上端線Ｌ１上の左右長５．０ｃｍ、かつ上下長３．５ｃｍにて三角形形状で配置したが、部位Ｃは、部位Ｃに対応する組織の配置部位からウエストゴム部を除いた部位である。作製したガードルを用いて着用試験を実施した。
【００６３】
［実施例８］
２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸３１０ｄｔｅｘ／３６ｆを、第２弾性糸（ＧＢ４）としてポリウレタン弾性糸４７ｄｔｅｘ／４ｆ（挿入糸として）を使用した。加工条件は、実施例１と同様の条件で実施した。なお、本編地では、部位Ａに対応する領域のみで編地を作製した。
また、同編地より、図６Ａに示す一般的なＭサイズのガードルに対応する型紙を用いてガードルを作製し、背面が図６Ｂの配置となるよう部位Ｂ及び部位Ｃに対応する部分に２８ゲージで作製したサテンネットの生地をボンディングにて貼り付けることで、部位Ｂ及び部位Ｃを形成し、幅ｗ１が１．０ｃｍの実施例１と同じウエストゴムを縫着した。部位Ｂ及びＣの形状及び寸法は実施例１と同じである。作製したガードルを用いて着用試験を実施した。
【００６４】
［実施例９］
部位Ｃを配さない他は実施例１と同様にガードルを作製し、着用試験を実施した。
【００６５】
［実施例１０］
部位Ｃを左右長２．０ｃｍ、上下長１．０ｃｍの三角形形状とした他は実施例１と同様にガードルを作製し、着用試験を実施した。なお部位Ｃに対応する組織は、ボトム製品上端線Ｌ１上の左右長４．０ｃｍ、かつ上下長２．０ｃｍにて三角形形状で配置したが、部位Ｃは、部位Ｃに対応する組織の配置部位からウエストゴム部を除いた部位である。作製したガードルを用いて着用試験を実施した。
【００６６】
［比較例１］
図７は、比較例１で作製したボトム製品７（ガードル）の後布を示す模式図である。２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸３１０ｄｔｅｘ／３６ｆを、第２弾性糸（ＧＢ４）としてポリウレタン弾性糸４７ｄｔｅｘ／４ｆ（挿入糸として）を使用した。加工条件は、実施例１と同様の条件で実施した。
なお、本編地では、部位Ａ及び部位Ｂに対応する領域を同一の編地内で配するように編地を作製した。
また、同編地より、図６Ａに示す一般的なＭサイズのガードルに対応する型紙を用い、図７に示すような配置で部位Ｂ（ｂ１＝１６．０ｃｍ、ｂ２＝１７．５ｃｍ）を形成するとともに、ウエストゴム（ｗ１＝５．０ｃｍ、ｗ２＝８．０ｃｍのゴム）を縫着してウエストゴム部Ｗを形成してガードルを作製し、着用試験を実施した。
【００６７】
［比較例２］
図８は、比較例２で作製したボトム製品８（ガードル）の後布を示す模式図である。２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸４７０ｄｔｅｘ／５６ｆを、第２弾性糸（ＧＢ４）としてポリウレタン弾性糸４７ｄｔｅｘ／４ｆ（挿入糸として）を使用した。加工条件は、実施例１と同様の条件で実施した。
なお、本編地では、部位Ａ及び部位Ｂに対応する領域を同一の編地内で配するように編地を作製した。
また、同編地より、図６Ａに示す一般的なＭサイズのガードルに対応する型紙を用い、図８に示すような配置で部位Ｂ（ｂ１＝９．０ｃｍ、ｂ２＝４．１ｃｍ、ｂ３＝９．５ｃｍ）を形成してガードルを作製し、着用試験を実施した。
【００６８】
［比較例３］
図９は、比較例３で作製したボトム製品９（ガードル）の後布を示す模式図である。２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸１５５ｄｔｅｘ／１８ｆを、第２弾性糸（ＧＢ４）としてポリウレタン弾性糸４７ｄｔｅｘ／４ｆ（挿入糸として）を使用した。加工条件は、実施例１と同様の条件で実施した。
なお、本編地では、部位Ａに対応する領域のみで編地を作製した。部位Ｂとしては、２８ゲージのシングルトリコット編み機を用いて、フロント筬及びミドル筬に４４ｄｔｅｘ／３６ｆのポリエステルフィラメントをそれぞれ１イン１アウトで通糸し、バック筬に４４ｄｔｅｘ／４ｆのポリウレタン弾性糸をフルセットで通糸し、フロントの組織を４−５／３−２／１−０／２−３、ミドルの組織を２−１／３−４／５−６／４−３バックの組織を１−０／１−２／２−３／２−１で編成した。
また、同編地より、図６Ａに示す一般的なＭサイズのガードルに対応する型紙を用い、図９に示すような配置で部位Ｂ（ｂ１＝９．０ｃｍの帯状）を形成（部位Ｂに対応する部分に上記の生地をボンディングにて貼り付け）してガードルを作製し、着用試験を実施した。
【００６９】
［比較例４］
図１０は、比較例４で作製したボトム製品１０（ガードル）の後布を示す模式図である。２８ゲージのジャカードラッシェル機を用いて、地糸（ＧＢ１及びＧＢ２）としてナイロン２８ｄｔｅｘ／１２ｆを使用し、２方向の伸縮性を向上するための弾性糸として、第１弾性糸（ＧＢ３）としてポリウレタン弾性糸１５５ｄｔｅｘ／１８ｆを、第２弾性糸（ＧＢ４）としてポリウレタン弾性糸４７ｄｔｅｘ／４ｆ（挿入糸として）を使用した。加工条件は、実施例１と同様の条件で実施した。なお、本編地では、部位Ａに対応する領域のみで編地を作製した。
また、同編地より、図６Ａに示す一般的なＭサイズのガードルに対応する型紙を用い、図１０に示すような、幅ｗ１＝１．０ｃｍのウエストゴム部Ｗ（実施例１と同じゴムを縫着して形成した）を有するガードルを作製し、着用試験を実施した。
【００７０】
［実施例１１］
図１１Ａは、実施例１１で作製したボトム製品１１（タイツ）の寸法を説明する模式図である。図１１Ａ中、ｄ１＝８０．５ｃｍ、ｄ２＝３０．５ｃｍ、ｄ３＝２６．５ｃｍ、ｄ４＝２０．０ｃｍ、ｄ５＝９．０ｃｍであり、これらは一般的なＭサイズのタイツに対応する寸法である。図１１Ｂは、実施例１１で作製したボトム製品１１（タイツ）の後布を示す図である。
【００７１】
部位Ａとして、３２ゲージのシングルトリコット機を用いて、フロント筬に３３ｄｔｅｘ／４８ｆのポリエステルフィラメントを、バック筬に２２ｄｔｅｘ／２ｆのポリウレタン弾性糸をそれぞれフルセットで通糸し、フロントの組織を４−５／３−２／１−０／２−３、バックの組織を１−０／１−２／２−３／２−１で編成し、生機を得た。その後、リラックス、プレセット、染色を経て、仕上げの熱セットを行い、編地を作製した。
【００７２】
部位Ｂ及び部位Ｃとしては、２８ゲージのシングルトリコット編み機を用いて、フロント筬及びミドル筬に４４ｄｔｅｘ／３６ｆのポリエステルフィラメントをそれぞれ１イン１アウトで通糸し、バック筬に４４ｄｔｅｘ／４ｆのポリウレタン弾性糸をフルセットで通糸し、フロントの組織を４−５／３−２／１−０／２−３、ミドルの組織を２−１／３−４／５−６／４−３バックの組織を１−０／１−２／２−３／２−１で編成し、生機を得た。その後、リラックス、プレセット、染色を経て、仕上げの熱セットを行い、編地を作製した。別途、幅３．０ｃｍのウエストゴムを準備した。
【００７３】
部位Ａの編地を図１１Ａに示す一般的なＭサイズのタイツ形状とし、部位Ｂ及び部位Ｃの編地を上記タイツ形状の部位Ａの編地上の既定の位置にボンディングにより貼り付け、幅ｗ１＝３．０ｃｍのウエストゴムを縫着してタイツを作製し、着用試験を実施した。部位Ｂは、上下長が各々２３．０ｃｍ、左右長が各々３．５ｃｍの三角形形状である。部位Ｃは、左右長が２．５０ｃｍ、上下長が３．０ｃｍの三角形形状である。なお部位Ｃに対応する組織は、ボトム製品上端線Ｌ１上の左右長５．４ｃｍ、かつ上下長６．５ｃｍにて三角形形状で配置したが、部位Ｃは、部位Ｃに対応する組織の配置部位からウエストゴム部を除いた部位である。作製したガードルを用いて着用試験を実施した。
【００７４】
［実施例１２］
図１２は、実施例１２で作製したボトム製品１２（タイツ）の後布を示す模式図である。実施例１１のタイツにおいて、部位Ｃを設けないこと以外は実施例１１と同様にしてタイツを作製した。
【００７５】
［比較例５］
図１３は、比較例５で作製したボトム製品１３（タイツ）の後布を示す図である。３２ゲージのシングルトリコット機を用いて、フロント筬に３３ｄｔｅｘ／４８ｆのポリエステルフィラメントを、バック筬に２２ｄｔｅｘ／２ｆのポリウレタン弾性糸をそれぞれフルセットで通糸し、フロントの組織を４−５／３−２／１−０／２−３、バックの組織を１−０／１−２／２−３／２−１で編成し、生機を得た。その後、リラックス、プレセット、染色を経て、仕上げの熱セットを行い、部位Ａの編地を作製した。
なお、部位Ｂとしては、２８ゲージのシングルトリコット編み機を用いて、フロント筬及びミドル筬に４４ｄｔｅｘ／３６ｆのポリエステルフィラメントをそれぞれ１イン１アウトで通糸し、バック筬に４４ｄｔｅｘ／４ｆのポリウレタン弾性糸をフルセットで通糸し、フロントの組織を４−５／３−２／１−０／２−３、ミドルの組織を２−１／３−４／５−６／４−３バックの組織を１−０／１−２／２−３／２−１で編成した。
部位Ａの編地を図１１Ａに示す一般的なＭサイズのタイツ形状とし、部位Ｂの編地を上記タイツ形状の部位Ａの編地上の既定の位置にボンディングにより貼り付け、部位Ｂ（ｂ１＝９．０ｃｍ）を形成してタイツを作製し、着用試験を実施した。
【００７６】
各ボトム製品の構成及び性能評価結果を表１に示す。
【表１】
2020165003.tif 000003
【産業上の利用可能性】
【００７７】
本開示のボトム製品は、着圧下着、スポーツウエア、下肢向けの下着、及びオムツ等として好適である。
【符号の説明】
【００７８】
１Ａ，１Ｂ，２Ａ，２Ｂ，３Ａ，３Ｂ，４Ａ，４Ｂ，５Ａ，５Ｂ，６，７，８，９，１０，１１，１２，１３    ボトム製品
Ａ，Ｂ，Ｃ    部位
ｌ，ｒ    境界線
Ｌ１    ボトム上端線
Ｌ２    後中心線
Ｌ３，Ｌ４    左右線
Ｌ５    ウエストゴム部下端線
Ｒ１，Ｒ２    領域
Ｗ    ウエストゴム部
Ｉ    骨と皮膚との距離が大きく動作時に皮膚が大きく伸長する部位
ＩＩ    骨と皮膚との距離が小さく動作時に皮膚が伸長しにくい部位
【図１Ａ】
2020165003.tif 000004
【図１Ｂ】
2020165003.tif 000005
【図２Ａ】
2020165003.tif 000006
【図２Ｂ】
2020165003.tif 000007
【図３Ａ】
2020165003.tif 000008
【図３Ｂ】
2020165003.tif 000009
【図４Ａ】
2020165003.tif 000010
【図４Ｂ】
2020165003.tif 000011
【図５Ａ】
2020165003.tif 000012
【図５Ｂ】
2020165003.tif 000013
【図６Ａ】
2020165003.tif 000014
【図６Ｂ】
2020165003.tif 000015
【図７】
2020165003.tif 000016
【図８】
2020165003.tif 000017
【図９】
2020165003.tif 000018
【図１０】
2020165003.tif 000019
【図１１Ａ】
2020165003.tif 000020
【図１１Ｂ】
2020165003.tif 000021
【図１２】
2020165003.tif 000022
【図１３】
2020165003.tif 000023
【図１４】
2020165003.tif 000024